(57)【要約】      （修正有）【課題】妊婦の妊娠初期から出産後までの体型変化に応じることができ、さらに腹部の保護および臀部を持ち上げ、着用するだけでスタイルアップすることができる腹部保護衣類を提供する。【解決手段】妊婦用の腹部保護衣類であって、上端に本体ベルト部を有する本体Ａと、前記本体Ａの上部に位置し伸縮性素材から構成されて着用時に腹部を覆うことができる腹部保護帯４とを有し、前記腹部保護帯４の下端は本体ベルト付け縫代で前記本体Ａに縫着され、かつ前記本体Ａの内側に伸縮性があり補強布９を縫い付けた裏地７が付設されてなり、前記本体ベルト部および前記本体Ａの上部に位置する腹部保護帯４の上辺部に、ボタンホール付きのゴムテープが挿入されてなる腹部保護衣類。【選択図】図３
2014095156.tif 000002
【特許請求の範囲】
【請求項１】
上端に本体ベルト部を有する本体と、前記本体の上部に位置し伸縮性素材から構成されて着用時に腹部を覆うことができる腹部保護帯とを有する衣類であって、前記腹部保護帯の下端は本体ベルト付け縫代で前記本体に縫着され、かつ前記本体の内側に伸縮性があり補強布を縫い付けた裏地が付設されてなることを特徴とする腹部保護衣類。
【請求項２】
本体ベルト部および本体の上部に位置する腹部保護帯の上辺部に、ボタンホール付きのゴムテープが挿入されてなることを特徴とする請求項１記載の腹部保護衣類。
【請求項３】
腹部保護帯が、伸縮性大なる部分と伸縮性小なる部分とを有する筒形状の帯であり、前記伸縮性小なる部分は後中心から左右５〜１０ｃｍ間に設置されてなることを特徴とする請求項１または２記載の腹部保護衣類。
【請求項４】
本体の前身頃の左右に、ポケット布が脇線から前立て部分まで連続した形で設置されてなることを特徴とする請求項１〜３のいずれかに記載の腹部保護衣類。
【請求項５】
本体の内側に付設された裏地に、後身頃のヒップライン下から前身頃に向かい斜め上方に傾斜し、後中心で４〜７ｃｍ、前身頃の端部では５〜１０ｃｍとなるよう漸増させた帯状の補強布が付設されてなることを特徴とした請求項１〜４のいずれかに記載の腹部保護衣類。
【発明の詳細な説明】
【技術分野】
【０００１】
本発明は、特に妊婦の妊娠初期から出産後までの体型変化に好適に応じることができ、さらに腹部の保護および臀部を持ち上げることができる腹部保護衣類に関するものである。
【背景技術】
【０００２】
従来、妊婦用衣類として、腹部を締め付けないワンピース型衣類やマタニティパンツとしてウエストに伸縮性素材を縫着したパンツが上市されている。
【０００３】
一方、従来技術として、ウエスト上部に妊婦の腹部を覆うための伸縮部材を設け、サイドのファスナーで開閉可能にしたマタニティ用下半身着衣（特許文献１参照。）、腹部に伸縮自在のリブ編をなし、ベルト部に複数のボタン穴のついたゴムを挿入してサイズ調整することができるようにした妊産婦用ズボン（特許文献２参照。）、および腹部を覆う弾性腹部パネルを有する腹部を覆う衣類（特許文献３参照。）等が提案されている。
【０００４】
しかしながら、上記特許文献１の提案は、下半身部をファスナーで開閉するとき、大きくなったお腹や下着がファスナーに挟まないように注意しなければいけないことと、下半身着衣本体と伸縮部材の縫い合わせた部分をファスナーが通過するときに抵抗があり閉めにくいという課題があった。
【０００５】
また、上記の特許文献２と特許文献３の提案においては、腹部のリブ編でサイズ変化のある腹部に対応することは可能であるが、サイズ変化を腹部上辺に通したゴムベルトで調整するだけであるため、それほど腹部が大きくない妊娠初期や出産後などでは上辺のゴムベルトで調整できても、ウエスト周辺では調整できないため、ズボンがずり落ちる感じがして安定感や着用感に優れないという課題があった。
【０００６】
また別に、パンツ本体とその上部に伸縮性リブニット部が縫い付けられたマタニティパンツが提案されている（特許文献４参照。）。しかしながらこの提案は、変化する腹囲に対応できるものであるが、着用時の後姿を美しくする工夫はなされていない。
【先行技術文献】
【特許文献】
【０００７】
【特許文献１】特許第４７２８１００号公報
【特許文献２】実用新案公開昭５６−７７１０公報
【特許文献３】特表２０１０−５２９３１０公報
【特許文献４】実用新案登録第３１２５９４３号公報
【発明の概要】
【発明が解決しようとする課題】
【０００８】
また、上記のいずれの提案においても、マタニティパンツには腹部保護部に伸縮部材を設けているだけで、臀部を下から持ち上げるようなスタイルアップの機能が付いているものはなかった。
【０００９】
そこで本発明の目的は、かかる従来技術の欠点を改良し、妊婦の妊娠初期から出産後までの体型変化に好適に応じることができ、さらに腹部の保護および臀部を持ち上げ、着用だけでスタイルアップできる腹部保護衣類を提供することにある。
【課題を解決するための手段】
【００１０】
上記課題を解決するため、本発明の腹部保護衣類は次の構成を有する。
【００１１】
すなわち、本発明の腹部保護衣類は、上端に本体ベルト部を有する本体と、前記本体の上部に位置し伸縮性素材から構成されて着用時に腹部を覆うことができる腹部保護帯とを有する衣類であって、前記腹部保護帯の下端が本体ベルト付け縫代で前記本体に縫着されており、かつ前記本体の内側に伸縮性があり補強布を縫い付けた裏地が付設されてなることを特徴とする腹部保護衣類である。
【００１２】
本発明の腹部保護衣類の好ましい態様によれば、前記の本体ベルト部および前記の本体の上部に位置する腹部保護帯の上辺部に、ボタンホール付きのゴムベルトまたはゴムテープが挿入されてなることである。
【００１３】
本発明の腹部保護衣類の好ましい態様によれば、前記の腹部保護帯が、伸縮性大なる部分と伸縮性小なる部分とを有する筒形状の帯であり、前記の伸縮性小なる部分は後中心線から左右５〜１０ｃｍ間に設置されていることである。
【００１４】
本発明の腹部保護衣類の好ましい態様によれば、前記の本体の前身頃の左右に、ポケット布が脇線から前立て部分まで連続した形で設置されることである。
【００１５】
本発明の腹部保護衣類の好ましい態様によれば、前記の本体の内側に付設された裏地に、後身頃のヒップライン下から前身頃に向かい斜め上方に傾斜し、後中心で４〜７ｃｍ、前身頃の端部では５〜１０ｃｍとなるよう漸増させた帯状の補強布が付設されてなることである。
【発明の効果】
【００１６】
本発明によれば、妊婦の妊娠初期から出産後において、腹部の保護および臀部を持ち上げる部材のついたパンツを着用することにより、妊娠中でもスタイルアップすることができる。すなわち、腹部の大きさに対応できる伸縮性素材が腹部を保護し、本体の内側に付けた裏地が臀部を下から持ち上げる効果があり、スタイルアップの機能を発揮する腹部保護衣類が得られる。
【００１７】
さらに本発明の腹部保護衣類においては、本体ベルト部および本体上部の伸縮性部材からなる腹部保護帯の上辺部に、ボタンホール付きのゴムテープを挿入することにより、妊娠初期から出産後のどの時期に着用しても、身体にフィットさせることができる。さらに、本体と伸縮部材個々においてサイズ調整することができるため、本体パンツのシルエットを保つことができる。
【図面の簡単な説明】
【００１８】
【図１】図１は、本発明の腹部保護衣類の一態様を表側からみた正面図である。
【図２】図２は、本発明の腹部保護衣類の一態様を表側からみた背面図である。
【図３】図３は、本発明の腹部保護衣類の一態様の裏面を表す正面図である。
【図４】図４は、本発明の腹部保護衣類の一態様の裏面を表す背面図である。
【図５】図５は、本発明の腹部保護衣類の裏地を外した一態様の断面を表す正面図である。
【図６】図６は、本発明の腹部保護衣類の裏地の一態様を前立て部で開いた展開図である。
【図７】図７は、本発明の腹部保護衣類のゴムテープの一態様を表す斜視図である。
【発明を実施するための形態】
【００１９】
次に、図面に示す一形態を参照しつつ、本発明の腹部保護衣類を詳細に説明する。
【００２０】
図１は、本発明の腹部保護衣類の一態様を表側から見た正面図であり、図２は、本発明の腹部保護衣類の一態様を表側からみた背面図である。
【００２１】
本発明の腹部保護衣類は、図１と図２に示すように、上端に本体ベルト部３を有する本体Ａと、本体Ａの前身頃１と後身頃２の上部に位置し伸縮性素材から構成されて着用時に腹部を覆うことができる腹部保護帯４を有し、この腹部保護帯４は、本体ベルト部３の本体ベルト付け縫代に縫い付けられている。従って、本体ベルト部３の上辺は、腹部保護帯４に固定されていないため浮き上がった状態にある。そのようにすることにより、本体ベルト部３および腹部保護帯４の両方にゴムテープ５（後述）を挿入して、個々にサイズ調整することができ、本体Ａのスタイルを保つことが可能となる。本体ベルト部３が腹部保護帯４に縫着あるいは係止した場合もゴムテープ５を挿入することは可能であるが、個々にサイズ調整できないため、腹部サイズの小さい場合、本体ベルト部３より下部がずり下がって審美性に劣ることがある。
【００２２】
図７は、本発明の腹部保護衣類のゴムテープの一態様を表す斜視図である。図７に示されるように、挿入されるゴムテープ５は、数個のボタンホール１８がゴムテープ５の巾中央に入ったものを使用することが好ましい。ゴムテープ５のゴム取り出し口１３（図５参照。）付近には、ゴムテープ５のボタンホール１８を固定するためのボタン（図示せず）を縫着し、着用者にあったサイズになるようにゴムテープ５を引っ張ってボタンで固定する。
【００２３】
ゴムテープ５の幅は、本体ベルト部３に挿入できるように２０ｍｍ〜３５ｍｍが好ましいい。また、ゴムテープの素材は、ポリウレタン繊維に、ポリエステル繊維やナイロン繊維などの合成繊維をカバーリングした糸を用い、２０ｍｍ〜３５ｍｍ幅の平織りや綾織り組織の織物にしたテープの中央に好ましくは１０〜２０ｍｍの大きさのボタンホールを巾方向に並行に入れた既製のゴムを使用しても良いし、伸縮性の高い織編物を２０〜３５ｍｍ幅となるように裁断して、前述と同様のボタンホール付きゴムテープとしても良い。ゴムテープ５は、図７に示すように輪にしておくと、輪に指をひっかけてゴムを引っ張り出しやすい。ゴムテープ５のゴム引き出し口１３は、本体ベルト部３の脇線６のどちらか１カ所でも良いが、脇線６の左右２箇所に設ける方が、より調整分量が多くなり、特に妊娠初期や出産後のお腹がそれほど大きくないときにもスッキリしたシルエットが得られる。さらに、本体ベルト部３の後中心線１０から左右に１０ｃｍ程度は、ゴムテープ５が動かないように縫着しておくことができる。このようにゴムテープ５を縫着することにより、腹部保護衣類の背面にシワが入らず美観を損なわない。
【００２４】
このように本体Ａの上部に腹部保護帯４を設置することにより、着脱性と腹部へのフィット性が向上する上、座ったり前屈みになったときに、下着が腹部保護衣類の外に出て身体が冷えたり、美観を損なったりすることを防ぐ効果もある。
【００２５】
図３は、本発明の腹部保護衣類の一態様の裏面を表す正面図であり、図４は、本発明の腹部保護衣類の一態様の裏面を表す背面図であり、そして、図６は、本発明の腹部保護衣類の裏地の一態様を前立て部で開いた展開図である。
【００２６】
図３、４および６に示されるように、本体Ａの内側に、後身頃２のヒップ部から脇線６をとおり前身頃１の一部を被う裏地７を、本体ベルト部３と内股８で本体Ａと接合することにより、臀部を臀溝から上方およびななめ前方に向かって持ち上げることができる。裏地７を、後身頃２から前身頃１にかけて連続した形状で設置することにより、脇の贅肉も一部引き上げ、サイドラインの締め付け効果も期待することができる。
【００２７】
さらに、本体Ａの内側に付設した裏地７に、後身頃２のヒップライン下から前身頃１に向かい斜め上方に傾斜した帯状の補強布９を付設することにより、ヒップアップおよびサイドの締め付け効果を向上させることができる。
【００２８】
本体Ａに付設された裏地７は、少なくとも１ヶ所以上後身頃２で接ぎ合わされ、ヒップの丸みに合わせて立体縫製することが好ましい。立体縫製とは、ダーツやタックあるいは切り替えなどで平面の生地を身体の線に合わせて立体的に仕上げる方法をいう。ダーツやタックをウエストラインに入れることにより、ヒップの丸みに合わせた裏地を付設することはできるが、ダーツやタックは縫代が複数枚重なるため、パンツ等の腹部保護衣類の表側に段差として現れ美観を損ねるし、着用快適性に劣ることがある。
【００２９】
従ってこの場合は、ヒップの形状に合うように、少なくとも２枚以上に分割した形の裏地を縫い合わせて立体化した裏地を本体Ａに付設することが好ましい。分割した裏地を縫い合わせる方法としては、伸びを止めない縫い方をすることが必要となる。例えば、生地端を溶かして接着する融着縫製、千鳥縫いや偏平縫いやフラットシーマ、オーバーロックや還縫いのように縫目が表地に追随する縫製方法が好ましく用いられる。また、縫製に使用する糸も、ポリエステルウーリー糸やナイロンウーリー糸、およびレジロン糸など伸びる糸を使用することがより好ましい態様である。
【００３０】
裏地Ａの付設は、縫着、接着および融着など、どのような方法であってもよいが、洗濯耐久性、肌触りおよび作業性の点から縫着が好ましい。
【００３１】
さらに、図６に示されるように、脇線６の脇縫代の一部に係止具１７を介して表地と接合することにより、臀部を臀溝から上方およびななめ前方に向かって持ち上げることができる。また、裏地７を脇線６の脇縫代の一部に係止具１７を介して表地に縫着することにより、直接裏地７を表地の脇線６の脇縫代に縫着する場合に比べて、係止具１７の部分が自由に動くことができるため、縫着箇所のひきつれが発生しないという効果を奏する。
【００３２】
ここで使用する係止具としては、ひも、面ファスナー、織編物、テープおよびゴムなど線状、面状に縫着できるものであれば素材にはこだわらない。
【００３３】
本発明で使用される係止具１７は、裏地７と同程度の伸長率と伸長回復率をもった織編物を、好適には幅１〜２ｃｍ、長さ２〜６ｃｍのテープ状に裁断して裏地７と表地の間に使用することにより、着用感、サポート感および外観に問題のない腹部保護衣類を得ることができる。
【００３４】
本発明の腹部保護衣類においては、本体、腹部保護帯、裏地および補強布に、好適には、タテ方向および／またはヨコ方向に伸縮可能な織編物を使用することにより、妊婦の妊娠初期から出産後までの体型変化に応じることができ、着用感、運動機能性および美観全てにおいてさらに顕著な効果を確認することができる。
【００３５】
伸縮可能な織編物としては、綿やウール等の天然繊維、レーヨンなどの再生繊維、およびアクリル系繊維やポリエステル系繊維などの合成繊維などからなる糸に、ポリウレタン繊維（弾性繊維）糸を混用したストレッチ織編物等を使用することができる。また、弾性繊維を使用することなしに、糸にケン縮を付加して伸縮性をもつ加工糸を使用することもできる。例えば、ポリエステル長繊維を加熱したり撚をかけたりして、ケン縮（クリンプ）を持たせた加工糸を使用することもできる。
【００３６】
本発明の腹部保護衣類の本体の素材は、タテ方向およびヨコ方向の少なくとも一方の伸長率は、１４．７Ｎ荷重下で１０％以上４０％以下の範囲であることが好ましく、また、伸長回復率は６０％以上あることが、着用快適性と型くずれ防止の観点からも好ましい態様である。
【００３７】
このような伸長率とは、織編地の伸びの程度を表すものであり、この数値が大きい程、腹部保護衣類を着用したとき、体の動きに追従し易く、着脱も容易である。表地はこの伸長率が１０％未満であると伸びが少ないため腹部保護衣類を着用時に窮屈で動きにくいという課題があり、反対に伸長率が４０％以上を超えると、身体にはフィットするが、身体のシルエットが表面に出やすくなり美観に劣るという課題がある。伸長率のより好ましい範囲は、１５％以上３０％以下である。
【００３８】
また、ここでの伸長回復率とは、身体の動きで伸長した生地が、素早く元の状態に戻ろうとする回復程度を表すものであり、この数値が大きい程、腹部保護衣類を着用した時の型崩れが少なく、着用前後で形態変化を起こしにくい。本発明の腹部保護衣類において、表地の伸長回復率は好ましくは６０％以上であり、より好ましくは８０％以上である。伸長回復率が６０％より低いと、臀部や膝等の身体の凸部のみ生地が回復しないで表地が伸びた状態になり、美観を損なうことがある。
【００３９】
上記の伸長率と伸長回復率は、ＪＩＳ  Ｌ  １０９６「一般織物及び編物の生地試験方法」の定速伸長法に基づいて測定されたものである。
【００４０】
本発明の腹部保護衣類に付設される裏地の素材は、寸法安定性や表地とのなじみがよいこと、腹部保護衣類を着装したときに表から裏地の存在がわかりにくいこと等を鑑みると、ポリウレタン繊維（弾性繊維）にポリアミド系繊維やポリエステル系繊維などの合成繊維を巻き付けた糸を使って得られた織編物を使用することが好ましい。また、弾性繊維を使用しないで、ポリエステル系ストレッチ織編物を使用してもよい。
【００４１】
本発明で用いられる裏地７としては、タテ方向およびヨコ方向の少なくとも一方の伸長率が１４．７Ｎ荷重下で好ましくは３０〜２００％であり、繰り返し１０回伸長後の伸長回復率が好ましくは８０％〜１００％の織編物を用いることが好ましい。裏地の伸長率が３０％未満では、伸びが少ないためパンツ等の腹部保護衣類着用時に裏地だけきつく締め付けられるため着脱しにくいことがあり、着用快適性が劣る傾向にある。反対に伸長率が２００％を超えると締め付け感およびヒップアップ効果が小さくなる。従って、裏地のタテ方向およびヨコ方向の少なくとも一方の伸長率は３０％以上あるものが好ましく、より好ましくは５０％以上であり、さらに好ましくは７０％以上である。
【００４２】
また、裏地や補強布の伸長回復率は、８０％から１００％である素材を選択することが好ましい。伸長回復率が８０％より低いと着用回数、洗濯回数が増えるにつれて裏地だけ伸びきって型崩れを起こすとともに締め付け効果は低下する傾向を示す。
【００４３】
本発明で用いられる補強布９の幅は、図６に示されるように、後中心線１０で好ましくは４〜７ｃｍ、本体パンツ前身頃のウエストライン１１で好ましくは５〜１０ｃｍとなるように漸増させた形状とすることにより、ヒップおよびサイドの締め付け、持ち上げ効果が向上する。補強布９の幅が、例えば、５ｃｍの一定幅で後から前身頃のウエストライン１１に縫着することもできるが、前述のように補強布９の幅を漸増させた方が、脇サイドの締め付けに効果を発揮しやすい。一方、補強布９の幅が、例えば、１０ｃｍの一定幅で後から前身頃に縫着することもできるが、その場合、臀部の約１／３の面積が補強布により締め付けられることになるので、臀部の丸みが崩れやすく、さらに、強い締め付けのため妊婦の着用感が損なわれ、身体への影響が懸念される。また、補強布９を後身頃のヒップライン下から前身頃に向かい斜め上方に傾斜させるにあたっては、直線状ではなく、図６に示すように曲線状に傾斜させることが好ましい。特に、後身頃部分はヒップラインに合わせた曲線、具体的には後から見たときに丸みのあるＷ字状とすることが好ましい。この曲線を前身頃ウエストライン１１に向かい延長させると、自然な丸みの連続した補強布ができあがる。
【００４４】
本発明で用いられる腹部保護帯４は、図２と図４に示されるように、伸縮性大なる部分１４と伸縮性小なる部分１５とを有する筒形状の帯であり、伸縮性小なる部分１５は後中心線１０（図６参照。）から好ましくは左右５〜１０ｃｍ間に設置されていることが好ましい。後中心に伸縮性小なる部分１５を設置することにより、妊娠中に不安定となる背中の腰部分を支えることができる。社団法人人間生活工学研究センター調査結果（２００４年〜２００６年調査）より、２０才代〜３０才代女性の日本人平均肩胛骨下水平距離は１５．７ｃｍ〜１６．１ｃｍであることから該範囲に伸縮性小なる部分１５を設置することにより、脊柱起立筋巾をカバーでき、姿勢保持に効果がある。さらに、伸縮性小なる部分１５を設置することにより、伸縮性大なる部分１４が緩くなってずり下がることを防止することができる。
【００４５】
腹部保護帯４の伸縮性小なる部分１５の伸長率は好ましくは５％〜２０％で、繰り返し１０回伸長後の伸長回復率が好ましくは８０％〜１００％の織編物を用いることが好ましい。
【００４６】
本発明で用いられる腹部保護帯４の伸縮性大なる部分１４は、タテ方向およびヨコ方向の少なくとも一方の伸長率が１４．７Ｎ荷重下で好ましくは３０〜２００％で、繰り返し１０回伸長後の伸長回復率が好ましくは８０％〜１００％の織編物を用いることが好ましい。
【００４７】
伸長率が３０％未満では、伸びが少ないため妊娠中期から後期にかけて大きくなるお腹をカバーすることができなく、きつく締め付けられるため着脱しにくく、着用快適性が劣る傾向にある。反対に、伸長率が２００％を超えると締め付け感が小さくなるため、腹部保護衣類がずり下がってくる感じがして着用感に劣る傾向にある。
【００４８】
また、腹部保護帯の伸縮性大なる部分１４の伸長回復率は８０％から１００％である素材を選択することが好ましい。伸長回復率が８０％より低いと着用回数、洗濯回数が増えるにつれて腹部保護帯が伸びきって型崩れを起こすとともに締め付け効果は低下する傾向を示す。
【００４９】
本発明の腹部保護衣類においては、図３に示されるように、前身頃１の内側にポケット布１２が左右の脇線６から前立て部分１６まで連続した形で設置されていることが好ましい。前ポケット布１２が連続していることにより、下腹部全体が下から支えられる安定感がある。
【００５０】
本発明の腹部保護衣類としては、例えば、妊産婦用のレギンス、パンツ、ハーフパンツ、ショートパンツ、トレンカ、スパッツ、クロップドパンツ、およびスカートなど腹部を覆うための下衣が挙げられる。
【実施例】
【００５１】
次に、本発明の腹部保護衣類について実施例を挙げてさらに具体的に説明するが、本発明はこれらに限定されるものではない。実施例において用いた腹部保護衣類の品質評価は、次の方法で実施した。
【００５２】
（測定方法）
（１）伸長率
表地および裏地の伸長率は、ＪＩＳ  Ｌ  １０９６（２０１０年版）「織物及び編物の生地試験方法」の伸び率Ａ法（定速伸長法）に従って測定した。
【００５３】
すなわち、まず、５ｃｍ×３０ｃｍの試験片を、タテ方向とヨコ方向にそれぞれ３枚ずつ採取した。測定には、自動記録装置付定速伸長形引張試験機を用い、つかみ間隔を２０ｃｍとし、試験片のたるみや張力を除いて、試験片をつかみに固定した。引張速度２０ｃｍ／ｍｉｎで１４．７Ｎ（１．５ｋｇ）まで伸ばし、そのときのつかみ間隔を測り、次の式により伸長率ＬＡ（％）を求め、３枚の平均で表した。
・伸長率ＬＡ（％）＝｛（Ｌ１−Ｌ）/Ｌ｝×１００
Ｌ  ：つかみ間隔（ｍｍ）
Ｌ１：１４．７Ｎまで伸ばしたときのつかみ間隔（ｍｍ）。
【００５４】
（２）伸長回復率
また、伸長回復率は、同じくＪＩＳ  Ｌ  １０９６（２０１０年版）「織物及び編物の生地試験方法」のＡ法（繰り返し定速定伸長法）に従って測定した。
【００５５】
すなわち、まず、５ｃｍ×３０ｃｍの試験片を、タテ方向とヨコ方向にそれぞれ３枚ずつ採取した。測定には、自動記録装置付定速伸長形引張試験機を用い、つかみ間隔を２０ｃｍとし、試験片のたるみや張力を除いて、試験片をつかみに固定した。引張速度２０ｃｍ／ｍｉｎで別に求めた伸長率（前項ＬＡ）の値の８０％まで伸ばして、１分放置した後、同じ速度で元の位置まで戻し、３分間放置する。この操作を１０回繰り返した後、再び同じ速度で初荷重以上の荷重まで引き伸ばす。記録した荷重−伸長曲線から残留伸びを測り、次式により伸長回復率ＬＢ（％）を求め、３枚の平均で表した。
・伸長回復率ＬＢ（％）＝［（Ｌｂ１−Ｌｂ）／Ｌｂ］×１００
Ｌｂ：伸長率ＬＡの８０％の伸びに相当するチャート上の長さ（ｍｍ）
Ｌｂ１：１０回繰り返し伸長後の残留伸びに相当するチャートの長さ（ｍｍ）。
【００５６】
（３）審美性、腹囲への追随性、着心地および締め付け感の状態評価
妊婦Ｍサイズの腹囲平均１００ｃｍとなるような擬似腹部をモニターに着装させ、その上に腹部保護衣類を着用させ、審美性、腹囲（お腹の大きさ）への追随性、着心地、および締め付け感（効果）の４点について官能評価を実施した。評価は、各項目について、それぞれ優３、良２および可１の３段階（点数の高い方が優れている）で行った。その評価基準（結果）を表１に示す。モニターは、年齢が２０代から４０代の女性５名とし、平均点を各評価点数とし、各評価点数の合計点数を総合評価とし、総合評価が大きいものほど優れていることを示す（合計点数が１０点以上を、合格とする。）。
【００５７】
【表１】
2014095156.tif 000003
【００５８】
（実施例１）
タテ糸に綿３０番手の綿糸を用い、ヨコ糸に８４デシテックス４８フィラメントのポリエステル繊維２本と４４デシテックスのポリウレタン繊維１本を、表２に示した混率で合撚した糸を用い、５枚朱子組織で製織し、染色仕上げした。このようにして得られた織物を使って、前股上が１３．５ｃｍ、後股上が２６．５ｃｍとなるように、ウエストラインが下方に湾曲したパンツ本体（本体）の上端部に、３ｃｍ幅のウエストベルト（本体ベルト部）を縫い付け、腹部保護衣類の本体パンツ部分（本体）とした。ウエストベルト（本体ベルト部）の両脇２カ所にゴム取り出し口を作り、ウエストベルト（本体ベルト部）の中にボタンホール付きのゴムテープを挿入し、ゴム取り出し口付近にはゴムテープを固定するボタンを縫着した。さらに、左右脇から前立て部分まで、連続した形でポケット布をウエストラインに縫着した。
【００５９】
別に、腹部保護帯として、綿糸９５質量％とポリウレタン繊維５質量％の合撚糸を使って編成した目付３５０ｇ／ｍ２のリブ丸編み地を、前中心で２１ｃｍ、後中心で１０ｃｍの高さとなるように裁断し、後中心で１０ｃｍ幅の表地と縫い合わせ、上辺を３ｃｍ内側に折り曲げ、ボタンホール付きのゴムテープを挿入し、ゴム取り出し口にボタンを付けた。その腹部保護帯を本体ウエストベルト（本体ベルト部）の縫い代にのみ縫着した。着用するときは、本体パンツのウエストベルト（本体ベルト部）および腹部保護帯に挿入したゴムテープを適度な長さに引っ張り出してゴムテープ中央のボタンホールをゴム取り出し口付近のボタンで固定した。
【００６０】
別途、３１０Ｔのポリウレタン繊維２１質量％に、５６Ｔ１７フィラメントのナイロン繊維７９質量％をカバーリングした糸を、ラッセル編み機で編成した６コースサテンネットを、パンツ本体（本体）の後身頃から前身頃ウエストラインに向かい斜め上方に傾斜した形状に裁断した。さらに、裏地の内側に、後中心線で５ｃｍ幅、前身頃のウエストラインで８ｃｍ幅となるように漸増させ、ヒップ形状に合わせた曲線帯状の補強布を、１１０Ｔナイロン２本を合撚したナイロンウーリー糸を用いて千鳥縫いミシンで縫着した。裏地の伸長率はタテ１４５％ヨコ７０％、伸長回復率はタテ９３％ヨコ９２％で、補強布の伸度はタテ１２４％ヨコ９１％、伸長回復率はタテ９４％ヨコ９０％であった。この補強布付き裏地を、パンツ本体（本体）の内側にクロッチ部分とウエストラインに脇係止具を介して縫着し、妊婦用パンツを得た。
【００６１】
擬似腹部を着装したモニターに、この妊婦用パンツをはかせた結果、臀部が持ち上がり、余分なシワも入らず審美性に優れていた。さらに、腹部下は適度な締め付け感があるが、腹部上部は伸縮素材で覆われているためフィットして着用感が良かった。この妊婦用パンツの縫製仕様を表２に、また評価した結果を表３に示す。
【００６２】
（実施例２）
タテ糸に綿９番手の綿糸を用い、ヨコ糸にリヨセルと綿の混紡糸と、ＰＴＴ（ポリトリメチレンテレフタレート）繊維（マルチフィラメント）とポリウレタン繊維の合撚糸（全体の割合が、綿７４質量％、リヨセル１９質量％、ＰＴＴ５質量％、ポリウレタ２質量％）を使い、３／１ツイル組織で製織し、染色仕上げした。このようにして得られた織物を使って、前股上が１５ｃｍ、後股上が２５ｃｍとなるように、ウエストラインが下方に湾曲したパンツ本体（本体）の上に３ｃｍ幅のウエストベルト（本体ベルト部）を縫い付け、腹部保護衣類のパンツ部分（本体）とした。ウエストベルト（本体ベルト部）の左脇１カ所にゴム取り出し口を作り、ウエストベルト（本体ベルト部）の中にボタンホール付きゴムベルト（ゴムテープ）を挿入し、ゴム取り出し口付近にはゴムベルト（ゴムテープ）を固定するボタンを縫着した。さらに、左右脇から前立て部分まで連続した形でポケット布をウエストラインに縫着した。
【００６３】
別に、腹部保護帯として、綿糸９５質量％とポリウレタン繊維５質量％の合撚糸を使って編成した目付３２０ｇ／ｍ２のリブ丸編み地を、前中心で２５ｃｍ、後中心で１３ｃｍの高さとなるように裁断し、後中心で２０ｃｍ幅の表地と縫い合わせ、上辺を３ｃｍ内側に折り曲げボタンホール付きゴムテープを挿入し、ゴム取り出し口にボタンを付けた。腹部保護衣帯を本体ウエストベルト（本体ベルト部）の縫い代のみに縫着した。着用するときは、パンツ本体（本体）のウエストベルト（本体ベルト部）およびこの腹部保護帯に挿入されたゴムテープを適度な長さに引っ張り出して、ゴムテープ中央にボタンホールをゴム取り出し口付近のボタンに固定した。
【００６４】
実施例１と同様の補強布付き裏地を、パンツ本体（本体）の内側にクロッチ部分とウエストラインに脇係止具を介して縫着し、妊婦用パンツを得た。
【００６５】
擬似腹部を着装したモニターに、この妊婦用パンツをはかせた結果、臀部が持ち上がり、余分なシワも入らず審美性に優れていた。さらに、腹部下は適度な締め付け感があるが、腹部上部は伸縮素材で覆われているためフィットして着用感が良かった。この妊婦用パンツの縫製仕様を表２に、また評価した結果を表３に示す。
【００６６】
（実施例３）
タテ糸に綿６０番手双糸を用い、ヨコ糸に１６５デシテックスのポリトリメチレンテレフタレート繊維（マルチフィラメント）を用い、２／１ツイルの織組織で製織し、染色仕上げした。このようにして得られた織物を使って、前股上が１３．５ｃｍ、後股上が２６．５ｃｍとなるようにウエストラインが下方に湾曲したパンツ本体（本体）の上に、３ｃｍ幅のウエストベルト（本体ベルト部）を縫い付け、腹部保護衣類の本体パンツ部分（本体）とした。ウエストベルト（本体ベルト部）の両脇２カ所にゴム取り出し口を作り、ウエストベルト（本体ベルト部）の中にボタンホール付きゴムテープを挿入し、ゴム取り出し口付近にはゴムテープを固定するボタンを縫着した。さらに、左右脇にポケット布を縫着した。
【００６７】
別に腹部保護帯として、実施例１で使用したリブ丸編み組織を使って編成した目付３５０ｇ／ｍ２のリブ丸編地みを、前中心で２１ｃｍ、後中心で１０ｃｍの高さとなるように裁断し、後中心で２０ｃｍ幅の表地と縫い合わせ、上辺を３ｃｍ内側に折り曲げ、ボタンホール付きのゴムテープを挿入し、ゴム取り出し口にボタンを付けた。腹部保護帯を本体ウエストベルト（本体ベルト部）の縫い代にのみ縫着した。着用するときは、パンツ本体（本体）のウエストベルト（本体ベルト部）および腹部保護帯に挿入されたゴムテープを適度な長さに引っ張り出して、ゴムベルト中央のボタンホールを取り出し口付近のボタンで固定した。
【００６８】
実施例１と同様の裏地をパンツ本体（本体）の内側にクロッチ部分とウエストラインに脇係止具を介して縫着し、妊婦用クロップドパンツを得た。
【００６９】
擬似腹部を着装したモニターに、の妊婦用パンツをはかせた結果、臀部が持ち上がり、余分なシワも入らず審美性に優れていた。また、腹部上部は伸縮素材で覆われているためフィットして着用感が良かった。この妊婦用パンツの縫製仕様を表２に、また評価した結果を表３に示す。
【００７０】
（比較例１）
２２０Ｔのポリウレタン繊維５質量％を、９番手の綿糸９７質量％でカバーリングした糸を経糸と緯糸に使用して、３／１ツイルの織組織で製織し、染色仕上げした。このようにして得られた織物を使って、前股上が１２ｃｍ、脇線で３３ｃｍとなるようにウエストラインが湾曲したパンツ本体（本体）の前ウエストラインの上に、綿糸９５質量％とポリウレタン繊維５質量％の合撚糸を使って編成したリブ丸編み地を縫い付け、妊婦用パンツの前身頃とした。後身頃は、脇線が３３ｃｍ、後中心で３８ｃｍとなるように湾曲した形状とした。前身頃と後身頃を縫い合わせ、左脇を開閉できるために２０ｃｍファスナーを縫い付けた。前身頃から後身頃の上辺を３ｃｍ内側に折り曲げ、ボタンホール付きゴムベルトを挿入し、ゴム取り出し口付近にはゴムテープを固定するボタンを縫着する。着用するときは、ゴムテープを適度な長さに引っ張り出してゴムベルト中央のボタンホールをゴム取り出し口付近のボタンに固定した。
【００７１】
擬似腹部を着装したモニターに、この妊婦用パンツをはかせた結果、腹部はフィット性があったが、臀部が持ち上がることはなく、臀部下に余分なシワが入り審美性にやや劣った。この妊婦用パンツの縫製仕様を表２に、また評価した結果を表３に示す。
【００７２】
（比較例２）
１１０Ｔのポリウレタン繊維５質量％を、５６Ｔのポリエステル繊維（マルチフィラメント）９５質量％でカバーリングした糸を使い、両面丸編地を編成し、染色仕上げした。このようにして得られた編物を使って、前股上２０ｃｍ、後股上２３ｃｍとなるように裁断したパンツ本体（本体）の前ウエストラインの上に、綿糸９５質量％とポリウレタン繊維糸５質量％の合撚糸を使いて、目付２００ｇ／ｍ２のリブ丸編み組織の編物を編成し、得られた編物を４０ｃｍに裁断して半分に折り曲げ２０ｃｍ高さとなるように、ウエストラインに全周縫い付け、妊婦用パンツとした。
【００７３】
擬似腹部を着装したモニターに、この妊婦用パンツをはかせた結果、臀部が持ち上がることはなく、全体にゆったりとカバーはできるが、腹部下や臀部下に余分なシワが入りフィット性に劣った。この妊婦用パンツの縫製仕様を表２に、また評価した結果を表３に示す。
【００７４】
（比較例３）
７８デシテックス２４フィラメントのナイロン繊維１００％糸を用いて両面丸編地を編成し、染色仕上げした。このようにして得られた編物を使って、前股上３３ｃｍ、後股上３６ｃｍとなるように裁断したパンツ本体（本体）のウエスト上辺を３ｃｍ内側に折り曲げ、ボタンホール付きゴムベルトを挿入し、取り出し口付近にはゴムテープを固定するボタンを縫着して妊婦用パンツとした。着用するときは、ゴムテープを適度な長さに引っ張り出してゴムベルト中央のボタンホールを取り出し口付近のボタンに固定した。
【００７５】
擬似腹部を着装したモニターに、この妊婦用パンツをはかせた結果、全体にゆったりとカバーはできるが、腹部下や臀部下に余分なシワが入りフィット性に劣った。この妊婦用パンツの縫製仕様を表２に、また評価した結果を表３に示す。
【００７６】
【表２】
2014095156.tif 000004
【００７７】
【表３】
2014095156.tif 000005
【符号の説明】
【００７８】
１  ：前身頃
２  ：後身頃
３  ：本体ベルト部
４  ：腹部保護帯
５  ：ゴムテープ
６  ：脇線
７  ：裏地
８  ：内股
９  ：補強布
１０  ：後中心線
１１  ：ウエストライン
１２  ：ポケット布
１３  ：ゴム取り出し口
１４  ：伸縮性大なる部分
１５  ：伸縮性小なる部分
１６  ：前立て部
１７  ：係止具
１８  ：ボタンホール
Ａ  ：本体
【図１】
2014095156.tif 000006
【図２】
2014095156.tif 000007
【図３】
2014095156.tif 000008
【図４】
2014095156.tif 000009
【図５】
2014095156.tif 000010
【図６】
2014095156.tif 000011
【図７】
2014095156.tif 000012